(57)【要約】【課題】フローティング部材が損傷することを防ぐフローティングコネクタを提供する。【解決手段】フローティングコネクタ１０は、ハウジング１２、複数の第１の電極１４、複数の係合部材１６、複数の第２の電極１８及びフローティング部材２０を備える。ハウジング１２は、第１の本体及び複数の開口を有する。第１の本体には、収容空間が形成され、開口により収容空間とハウジング１２の外部とを連通する。第１の電極１４は、収容空間に配設されるとともに、開口を介して収容空間から挿出される。係合部材１６は、ハウジング１２の両側にそれぞれ配設される。係合部材１６は、固定部、弾性部及び案内部を有する。弾性部は、固定部及び案内部に接続される。固定部の一部は、収容空間に収容され、固定部の残部及び弾性部は、それぞれハウジング１２から外部に露出される。案内部は、片持ち部材及びＵ字状案内部材を有する。【選択図】図１
0003235261.tif 000002
【実用新案登録請求の範囲】
【請求項１】
ハウジング、複数の第１の電極、複数の係合部材、複数の第２の電極及びフローティング部材を備えたフローティングコネクタであって、
前記ハウジングは、第１の本体及び複数の開口を有し、前記第１の本体には、収容空間が形成され、前記ハウジングに形成された前記開口により、前記収容空間と前記ハウジングの外部とを連通し、
前記第１の電極は、前記収容空間に配設されるとともに、前記開口を介して前記収容空間から挿出され、
前記係合部材は、前記ハウジングの両側にそれぞれ配設され、前記係合部材は、固定部、弾性部及び案内部を有し、前記弾性部は、前記固定部及び前記案内部に接続され、前記固定部の一部は、前記収容空間に収容され、前記固定部の残部及び前記弾性部は、それぞれ前記ハウジングから外部に露出され、前記案内部は、片持ち部材及びＵ字状案内部材を有し、前記片持ち部材の自由端には、前記Ｕ字状案内部材が配設され、前記片持ち部材と前記Ｕ字状案内部材とのなす角度は第１の角度であり、
前記第２の電極は、前記第１の電極に対応して配設され、
前記フローティング部材は、前記ハウジングに結合されるとともに、第２の本体、複数の電極槽及び複数の係合槽を有し、前記電極槽には前記第２の電極が設けられ、前記係合槽には、前記係合部材が対応して配設され、
前記係合部材が前記係合槽に挿入されると、前記第１の電極が前記第２の電極と電気的に接続される上、前記案内部が前記係合槽に挿入されると、前記ハウジングが前記フローティング部材にロックされることを特徴とする、フローティングコネクタ。
【請求項２】
前記係合部材の前記片持ち部材と、前記係合部材を前記係合槽に挿入する方向とのなす角度は第１の角度であることを特徴とする請求項１に記載のフローティングコネクタ。
【請求項３】
前記片持ち部材及び前記Ｕ字状案内部材の縁部には、案内構造がそれぞれ形成され、
前記案内構造は、面取り又は斜面であることを特徴とする請求項１に記載のフローティングコネクタ。
【請求項４】
前記係合部材は、複数の接続部材を有し、前記接続部材は、前記弾性部及び前記案内部にそれぞれ接続され、
前記接続部材と前記弾性部とのなす角度は第２の角度であり、前記接続部材と前記弾性部とのなす角度は第３の角度であり、
前記第２の角度は、前記第３の角度より小さくないことを特徴とする請求項１に記載のフローティングコネクタ。
【請求項５】
前記係合槽は、前記Ｕ字状案内部材に掛止する掛止ブロックを有することを特徴とする請求項１に記載のフローティングコネクタ。
【考案の詳細な説明】
【技術分野】
【０００１】
本考案は、コネクタに関し、特に、フローティングコネクタに関する。
【背景技術】
【０００２】
従来のコネクタは、オスを介してメスと電気的に接続されるが、オス及びメスの接続では、位置合わせして接続し、組立スピードを高め、組立ての際に生じる損壊率を下げ、接続後に外れにくくするなど、改善が必要であった。
【０００３】
しかし、接続過程では、金属材料と非金属材料との相違性材料の接触により、例えば、硬度が低めの非金属材料、特に、ロック部分が壊れることがあった。
【０００４】
そのため、従来のコネクタに生じていた問題点又は解決することができなかった問題点を改善するフローティングコネクタが求められていた。
【考案の概要】
【考案が解決しようとする課題】
【０００５】
そこで、本考案者は、上記課題を解決するための鋭意検討を重ねた結果、かかる知見に基づいて、本考案に想到するに至った。
本考案の第１の課題は、ハウジング、第１の電極、係合部材、第２の電極及びフローティング部材によりフローティング組立を行う、フローティングコネクタを提供することにある。
本考案の第２の課題は、係合部材によりフローティング部材を接続して着脱可能にするフローティングコネクタを提供することにある。
本考案の第３の課題は、片持ち部材及びＵ字状案内部材の案内部により、ハウジング又はフローティング部材が損壊することを防ぐ、フローティングコネクタを提供することにある。
本考案の第４の課題は、係合部材を係合槽に対して所定角度でずらし、係合部材を係合槽にスムーズに挿入できるようにする、フローティングコネクタを提供することにある。
【課題を解決するための手段】
【０００６】
上記課題を解決するために、本考案の第１の形態によれば、ハウジング、複数の第１の電極、複数の係合部材、複数の第２の電極及びフローティング部材を備えたフローティングコネクタであって、前記ハウジングは、第１の本体及び複数の開口を有し、前記第１の本体には、収容空間が形成され、前記ハウジングに形成された前記開口により、前記収容空間と前記ハウジングの外部とを連通し、前記第１の電極は、前記収容空間に配設されるとともに、前記開口を介して前記収容空間から挿出され、前記係合部材は、前記ハウジングの両側にそれぞれ配設され、前記係合部材は、固定部、弾性部及び案内部を有し、前記弾性部は、前記固定部及び前記案内部に接続され、前記固定部の一部は、前記収容空間に収容され、前記固定部の残部及び前記弾性部は、それぞれ前記ハウジングから外部に露出され、前記案内部は、片持ち部材及びＵ字状案内部材を有し、前記片持ち部材の自由端には、前記Ｕ字状案内部材が配設され、前記片持ち部材と前記Ｕ字状案内部材とのなす角度は第１の角度であり、前記第２の電極は、前記第１の電極に対応して配設され、前記フローティング部材は、前記ハウジングに結合されるとともに、第２の本体、複数の電極槽及び複数の係合槽を有し、前記電極槽には前記第２の電極が設けられ、前記係合槽には、前記係合部材が対応して配設され、前記係合部材が前記係合槽に挿入されると、前記第１の電極が前記第２の電極と電気的に接続される上、前記案内部が前記係合槽に挿入されると、前記ハウジングが前記フローティング部材にロックされることを特徴とする、フローティングコネクタを提供する。
【０００７】
前記係合部材の前記片持ち部材と、前記係合部材を前記係合槽に挿入する方向とのなす角度は第１の角度であることが好ましい。
【０００８】
前記片持ち部材及び前記Ｕ字状案内部材の縁部には、案内構造がそれぞれ形成され、
前記案内構造は、面取り又は斜面であることが好ましい。
【０００９】
前記係合部材は、複数の接続部材を有し、前記接続部材は、前記弾性部及び前記案内部にそれぞれ接続され、前記接続部材と前記弾性部とのなす角度は第２の角度であり、前記接続部材と前記弾性部とのなす角度は第３の角度であり、前記第２の角度は、前記第３の角度より小さくないことが好ましい。
【００１０】
前記係合槽は、前記Ｕ字状案内部材に掛止する掛止ブロックを有することが好ましい。
【考案の効果】
【００１１】
本考案のフローティングコネクタは、従来のコネクタと比べ、オス及びメスを接続する過程で、組立てを行う者が許容範囲内で第１の電極と第２の電極とを電気的に接続することができ、その組立過程では、金属材料である係合部材を非金属材料であるフローティング部材に係合させるため、フローティング部材が損傷することを防ぐことができる。
【図面の簡単な説明】
【００１２】
【図１】本考案の第１実施形態に係るフローティングコネクタを示す斜視図である。
【図２（ａ）】図１のハウジング、第１の電極及び係合部材を示す平面図である。
【図２（ｂ）】図１のハウジング、第１の電極及び係合部材を示す正面図である。
【図２（ｃ）】図１のハウジング、第１の電極及び係合部材を示す側面図である。
【図２（ｄ）】図１のハウジング、第１の電極及び係合部材を示す背面図である。
【図３（ａ）】図２の係合部材を示す斜視図である。
【図３（ｂ）】図２の係合部材を示す側面図である。
【図３（ｃ）】図２の係合部材を示す平面図である。
【図４】図１のフローティング部材、第２の電極及び第１の電極を組み合わせた状態を示す斜視図である。
【図５（ａ）】図２のフローティング部材及び第２の電極を示す斜視図である。
【図５（ｂ）】図２のフローティング部材及び第２の電極を示す平面図である。
【図６（ａ）】図１のフローティングコネクタを示す平面図である。
【図６（ｂ）】図６（ａ）の線Ａ−Ａ’に沿ったフローティングコネクタの断面図である。
【考案を実施するための形態】
【００１３】
以下、本考案の目的、特徴及び効果をより分かりやすくするために、具体的な実施形態について図に基づいて詳しく説明する。
【００１４】
図１を参照する。図１は、本考案の第１実施形態に係るフローティングコネクタを示す斜視図である。図１に示すように、本考案の第１実施形態に係るフローティングコネクタ１０は、少なくともハウジング１２、第１の電極１４、係合部材１６、第２の電極１８及びフローティング部材２０から構成されてなる。ここでフローティングコネクタ１０は、２つの対をなす側部に提供された２つの第２の電極１８を例に説明し、第２の電極１８により２つのハウジング１２にそれぞれ接続される。そのため、フローティングコネクタ１０は、単辺又は両辺、さらにはそれ以上の辺を有してもよい。以下では単辺を例に説明しているが、勿論これだけに限定されず、他辺の接続にも適用できるが、それについては詳説しない。フローティングコネクタ１０は、蓋体２により両辺のフローティング部材２０を覆い、フローティング部材２０は、蓋体２を介してプリント回路基板に固定される。
【００１５】
図２（ａ）〜図２（ｄ）を参照する。図２（ａ）は、図１のハウジング、第１の電極及び係合部材を示す平面図である。図２（ｂ）は、図１のハウジング、第１の電極及び係合部材を示す正面図である。図２（ｃ）は、図１のハウジング、第１の電極及び係合部材を示す側面図である。図２（ｄ）は、図１のハウジング、第１の電極及び係合部材を示す背面図である。
【００１６】
図２（ａ）〜図２（ｄ）に示すように、ハウジング１２は、第１の本体１２１及び開口１２２を有する。第１の本体１２１には、収容空間ＳＰが形成されている。
【００１７】
開口１２２は、ハウジング１２の第１の本体１２１に形成され、収容空間ＳＰとハウジング１２の外部とを連通する。ここで開口１２２の数は複数として説明しているが、これだけに限定されるわけではない。
【００１８】
第１の電極１４は、収容空間ＳＰに配設されるとともに、開口１２２を介して収容空間ＳＰから挿出される。第１の電極１４の数は、開口１２２の数に等しいか開口１２２の数より少ない。第１の電極１４は、信号又は電力を伝達する。もし伝達するのが大きな電力である場合、廃熱が溜まることがあるが、その場合、開口１２２を介し、特に第１の電極１４が設置されていない開口１２２を介して放熱する。
【００１９】
係合部材１６は、ハウジング１２の両側にそれぞれ配設され、係合部材１６の数を２つとして以下説明する。図３（ａ）〜図３（ｃ）を参照する。図３（ａ）は、図２の係合部材を示す斜視図である。図３（ｂ）は、図２の係合部材を示す側面図である。図３（ｃ）は、図２の係合部材を示す平面図である。
【００２０】
係合部材１６は、固定部１６２、弾性部１６４及び案内部１６６を有する。弾性部１６４は、固定部１６２及び案内部１６６に接続される。固定部１６２の一部は、収容空間ＳＰに収容される。固定部１６２の残部及び弾性部１６４は、それぞれハウジング１２から外部に露出される。
【００２１】
案内部１６６は、片持ち部材１６６２及びＵ字状案内部材１６６４を有する。片持ち部材１６６２の自由端には、Ｕ字状案内部材１６６４が形成される。片持ち部材１６６２とＵ字状案内部材１６６４とのなす角度は第１の角度θ１である。例えば、第１の角度θ１の範囲は、１〜５度である。
【００２２】
片持ち部材１６６２及びＵ字状案内部材１６６４の縁部には、案内構造１６６２２，１６６４２がそれぞれ形成される。例えば、案内構造１６６２２，１６６４２を面取り、斜面などに成形し、片持ち部材１６６２（又はＵ字状案内部材１６６４）を以下で述べる係合槽２０６にスムーズに滑り込ませるようにしてもよいし、或いは片持ち部材１６６２（又はＵ字状案内部材１６６４）及び係合槽２０６に形成された第１の案内斜面２０１０の作用により、係合槽２０６にスムーズに滑り込ませるようにしてもよい。
【００２３】
係合部材１６は、接続部材１６８を有する。接続部材１６８は、弾性部１６４及び案内部１６６に接続される。接続部材１６８と弾性部１６４とのなす角度は第２の角度θ２である。接続部材１６８と弾性部１６４とのなす角度は第３の角度θ３である。第３の角度θ３は、第２の角度θ２に等しいか第２の角度θ２より小さい。第３の角度θ３が第２の角度θ２より小さい状況下で、係合部材１６の片持ち部材１６６２の方向と、係合部材１６を係合槽２０６に挿入する方向とのなす角度は第１の角度θ１である（図３（ｃ）を参照する）。
【００２４】
図４、図５（ａ）及び図５（ｂ）を併せて参照する。図４は、図１のフローティング部材、第２の電極及び第１の電極を組み合わせた状態を示す斜視図である。図５（ａ）は、図２のフローティング部材及び第２の電極を示す斜視図である。図５（ｂ）は、図２のフローティング部材及び第２の電極を示す平面図である。
【００２５】
図４及び図５（ａ）に示すように、第２の電極１８は、第１の電極１４に対応して配設され、第２の電極１８の数は第１の電極１４の数に等しい。
【００２６】
フローティング部材２０は、ハウジング１２に結合される。フローティング部材２０は、第２の本体２０２、電極槽２０４及び係合槽２０６を有する。電極槽２０４及び係合槽２０６は、第２の本体２０２の同じ側に形成され、ハウジング１２が結合されるとともに、電極槽２０４の数が５個であり、係合槽２０６の数が２個であることを例に説明し、電極槽２０４は、係合槽２０６間に配設されている。電極槽２０４は第２の電極１８を有する。係合槽２０６は、係合部材１６に対応して配設される。
【００２７】
係合槽２０６には、係合部材１６（特に、Ｕ字状案内部材１６６４）が係合されて位置拘束される。係合槽２０６には、係合槽２０６に向かって延びた掛止ブロック２０８が設けられる。
【００２８】
前述した係合槽２０６には、第１の案内斜面２０１０が形成される。前述した電極槽２０４には、第２の案内斜面２０１２が形成される。第２の案内斜面２０１２を介して第１の電極１４が第２の電極１８まで案内され、第１の電極１４が第２の電極１８に電気的に接続される。
【００２９】
図５（ｂ）を参照する。図５（ｂ）に示すように、フローティング部材２０が２つあるとき、絶縁体４により２つのフローティング部材２０を隔絶する。
【００３０】
図６（ａ）及び図６（ｂ）を併せて参照する。図６（ａ）は、図１のフローティングコネクタを示す平面図である。図６（ｂ）は、図６（ａ）の線Ａ−Ａ’に沿ったフローティングコネクタの断面図である。
【００３１】
図６（ｂ）に示すように、係合部材１６の案内部１６６が係合槽２０６に挿入されると、第１の電極１４が第２の電極１８と電気的に接続される上、ハウジング１２及びフローティング部材２０がＵ字状案内部材１６６４により掛止ブロック２０８に位置決めされ、ハウジング１２がフローティング部材２０にロックされる。
【００３２】
本考案のフローティングコネクタは、従来のコネクタと比べ、オス及びメスを接続する過程で、組立てを行う者が許容範囲内で第１の電極と第２の電極とを電気的に接続することができ、その組立過程では、金属材料である係合部材を非金属材料であるフローティング部材に係合させるため、フローティング部材が損傷することを防ぐことができる。
【００３３】
当該分野の技術を熟知する者が理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００３４】
２  蓋体
４  絶縁体
１０  フローティングコネクタ
１２  ハウジング
１４  第１の電極
１６  係合部材
１８  第２の電極
２０  フローティング部材
１２１  第１の本体
１２２  開口
１６２  固定部
１６４  弾性部
１６６  案内部
１６８  接続部材
２０２  第２の本体
２０４  電極槽
２０６  係合槽
２０８  掛止ブロック
１６６２  片持ち部材
１６６４  Ｕ字状案内部材
２０１０  第１の案内斜面
２０１２  第２の案内斜面
１６６２２  案内構造
１６６４２  案内構造
ＳＰ  収容空間
θ１  第１の角度
θ２  第２の角度
θ３  第３の角度
【図１】
0003235261.tif 000003
【図２（ａ）】
0003235261.tif 000004
【図２（ｂ）】
0003235261.tif 000005
【図２（ｃ）】
0003235261.tif 000006
【図２（ｄ）】
0003235261.tif 000007
【図３（ａ）】
0003235261.tif 000008
【図３（ｂ）】
0003235261.tif 000009
【図３（ｃ）】
0003235261.tif 000010
【図４】
0003235261.tif 000011
【図５（ａ）】
0003235261.tif 000012
【図５（ｂ）】
0003235261.tif 000013
【図６（ａ）】
0003235261.tif 000014
【図６（ｂ）】
0003235261.tif 000015